(57)【要約】【課題】本発明の目的は、面発光部材の熱膨張による光源への影響を抑えつつも、光源を容易に交換することができる発光パネルを提供することにある。【解決手段】発光パネル１、５において、ＬＥＤ１１，５１（光源）と、矩形板形状を有しＬＥＤ１１，５１（光源）から光が入射端縁１２１ａ，５２１ａに入射されて表裏面のうち少なくとも一方の面が面発光する面発光部材１２，５２と、ＬＥＤ１１，５１（光源）の光出射口を入射端縁１２１ａ，５２１ａに向けてＬＥＤ１１，５１（光源）を保持する光源ホルダー１４，５４と、面発光部材１２，５２に固定されるとともに光源ホルダー１４，５４を着脱自在に支持するホルダー支持部１３，５３と、を有することを特徴とする。【選択図】図２
2015220074.tif 000002
【特許請求の範囲】
【請求項１】
光源と、
矩形板形状を有し前記光源から光が入射端縁に入射されて表裏面のうち少なくとも一方の面が面発光する面発光部材と、
前記光源の光出射口を前記入射端縁に向けて前記光源を保持する光源ホルダーと、
前記面発光部材に固定されるとともに前記光源ホルダーを着脱自在に支持するホルダー支持部と、を有することを特徴とする発光パネル。
【請求項２】
前記光源ホルダーが、前記面発光部材に対する面直交方向から前記ホルダー支持部に着脱自在に取り付けられることを特徴とする請求項１記載の発光パネル。
【請求項３】
前記光源ホルダーが、前記面発光部材に対する面直交方向から前記ホルダー支持部にネジ止めされることを特徴とする請求項１又は２記載の発光パネル。
【請求項４】
前記ホルダー支持部が、前記面発光部材に固定される被固定部と、該被固定部と一体に成形されて前記入射端縁との間に間隔を開けて配置される離隔部と、を有し、
前記光源ホルダーが、前記入射端縁と前記離隔部との間に配置されて前記光源を保持する保持部と、該保持部と一体に成形されるとともに、前記離隔部に、前記面発光部材に対する面直交方向に重ねられて着脱自在に取り付けられる舌片部と、を有することを特徴とする請求項１から３のうち何れか一項記載の発光パネル。
【発明の詳細な説明】
【技術分野】
【０００１】
本発明は、収納された陽画フィルムの図柄を発光表示するディスプレイ装置に搭載される発光パネルに関するものである。
【背景技術】
【０００２】
従来、陽画フィルムに描かれた図柄を発光表示させるディスプレイ装置として、面発光して陽画フィルムを背面照射する発光パネルを備えたものが知られている（例えば、特許文献１参照）。この発光パネルは、合成樹脂等で矩形板形状に形成された面発光部材の端縁にＬＥＤ等の光源からの光を入射するように構成されたものである。ここで、上記の面発光部材が、設置場所における温度や湿度に起因して伸縮することがある。例えば、１０℃の温度変化に対して外形寸法が０．７％程度変化することがある。また、湿度変化に対しては２％程度変化することもある。このような温湿度変化特性は、夏場等に発光パネルが高温高湿環境に曝される際の面発光部材における熱膨張を招来する。そこで、この発光パネルでは、このような熱膨張に起因した圧迫等による光源の損傷等を回避するために、光源を保持する光源ホルダーを面発光部材に固定し、面発光部材が熱膨張するときには一緒に光源が移動できるように構成されている。
【先行技術文献】
【特許文献】
【０００３】
【特許文献１】特許第４９９０９５２号公報
【発明の概要】
【発明が解決しようとする課題】
【０００４】
ところで、上記のような発光パネルでは、ＬＥＤ等の光源が劣化したとき、メンテナンスにおいて新品の光源との交換が行われることがある。しかしながら、上記のように面発光部材の熱膨張に対応するために光源ホルダーが面発光部材に固定されていることから、光源の交換のためには発光パネルを全体的に分解しなければならないことが多く、作業者の負担となっている。
【０００５】
本発明の目的は、面発光部材の熱膨張による光源への影響を抑えつつも、光源を容易に交換することができる発光パネルを提供することにある。
【課題を解決するための手段】
【０００６】
上記目的を達成する請求項１に記載の発明は、光源と、矩形板形状を有し前記光源から光が入射端縁に入射されて表裏面のうち少なくとも一方の面が面発光する面発光部材と、前記光源の光出射口を前記入射端縁に向けて前記光源を保持する光源ホルダーと、前記面発光部材に固定されるとともに前記光源ホルダーを着脱自在に支持するホルダー支持部と、を有することを特徴とする発光パネルとなっている。
【０００７】
また、請求項２に記載の発明は、請求項１記載の発光パネルにおいて、前記光源ホルダーが、前記面発光部材に対する面直交方向から前記ホルダー支持部に着脱自在に取り付けられることを特徴とする。
【０００８】
また、請求項３に記載の発明は、請求項１又は２記載の発光パネルにおいて、前記光源ホルダーが、前記面発光部材に対する面直交方向から前記ホルダー支持部にネジ止めされることを特徴とする。
【０００９】
また、請求項４に記載の発明は、請求項１から３のうち何れか一項記載の発光パネルにおいて、前記ホルダー支持部が、前記面発光部材に固定される被固定部と、該被固定部と一体に成形されて前記入射端縁との間に間隔を開けて配置される離隔部と、を有し、前記光源ホルダーが、前記入射端縁と前記離隔部との間に配置されて前記光源を保持する保持部と、該保持部と一体に成形されるとともに、前記離隔部に、前記面発光部材に対する面直交方向に重ねられて着脱自在に取り付けられる舌片部と、を有することを特徴とする。
【発明の効果】
【００１０】
請求項１に記載の発明によれば、光源ホルダーは、面発光部材に固定されるホルダー支持部に支持される。これにより、面発光部材が熱膨張する際には、そのホルダー支持部とともに光源ホルダー（即ち、光源）が一緒に移動するので、面発光部材の熱膨張による光源への影響が抑えられる。そして、光源ホルダーが、ホルダー支持部に着脱自在に支持されることから、発光パネルを全体的に分解しなくとも、この光源ホルダーをホルダー支持部から取り外すことで光源を容易に交換することができる。
【００１１】
また、請求項２に記載の発明によれば、光源ホルダーが、面発光部材に対する面直交方向、即ち発光パネルの発光面側（場合によっては裏面側も可）、という、作業者にとってアクセスし易い方向からホルダー支持部に着脱自在に取り付けられるので、光源の交換作業の作業性を向上させることができる。
【００１２】
また、請求項３に記載の発明によれば、光源ホルダーが、面発光部材に対する面直交方向という、作業者にとってアクセスし易い方向から、更には、作業者にとって着脱作業が容易なネジ止めという手法によって、ホルダー支持部に取り付けられるので、光源の交換作業の作業性を向上させることができる。
【００１３】
また、請求項４に記載の発明によれば、ホルダー支持部への光源ホルダーの取付けが、ホルダー支持部の離隔部に、面発光部材に対する面直交方向という、作業者にとってアクセスし易い方向に重ねられた舌片部の、その離隔部への取付けによって行われる。これにより、ホルダー支持部への光源ホルダーの着脱が容易となることから、光源の交換作業の作業性を向上させることができる。
【図面の簡単な説明】
【００１４】
【図１】本発明の第１実施形態にかかる発光パネルを発光面側から見た正面図である。
【図２】図１中のＡ−Ａ断面を示す断面図である。
【図３】図２に示されているホルダー支持部を示す図である。
【図４】図２に示されている光源ホルダーを示す図である。
【図５】本発明の第２実施形態にかかる発光パネルの、図２示されている断面と同様の断面を示す断面図である。
【図６】図５に示されているホルダー支持部を示す図である。
【図７】図５に示されている光源ホルダーを示す図である。
【発明を実施するための形態】
【００１５】
本発明の第１実施形態にかかる発光パネルを、図１〜図４を参照して説明する。図１は、本発明の第１実施形態にかかる発光パネルを発光面側から見た正面図である。図２は、図１中のＡ−Ａ断面を示す断面図である。
【００１６】
図１に示されている発光パネル１は、不図示のディスプレイ装置に搭載され、面発光による陽画フィルムの背面照射等に利用される。この発光パネル１は、図１及び図２に示されているように、光源としてのＬＥＤ１１と、面発光部材１２と、ホルダー支持部１３と、光源ホルダー１４と、を有している。また、面発光部材１２は、導光板１２１と、反射シート１２２と、ベース板１２３と、乳色シート１２４と、を有している。
【００１７】
導光板１２１は、例えばアクリル樹脂等の合成樹脂で形成された矩形板である。本実施形態では、この導光板１２１は、厚みが５ｍｍの板となっている。そして、本実施形態では、この導光板１２１における対向一対の端縁それぞれが、ＬＥＤ１１から光が入射される入射端縁１２１ａとなっている。また、導光板１２１における裏面側（図２における下側）には、入射端縁１２１ａから入射された光を発光面側（図２における上側）に拡散反射するための導光パターンが形成されている。
【００１８】
反射シート１２２は、導光板１２１の裏面側に重ねられて配置され、この裏面側から出射しようとする光を発光面側へと反射するシートである。本実施形態では、この反射シート１２２は、厚みが０．２ｍｍの白色シートとなっている。
【００１９】
ベース板１２３は、反射シート１２２の裏面側に重ねられて配置され、面発光部材１２の強度を補強する金属プレートである。本実施形態では、このベース板１２３は、厚みが１．０ｍｍのアルミニウム板となっている。
【００２０】
乳色シート１２４は、導光板１２１の発光面側に重ねられて配置され、この発光面側に出てくる光を拡散して透過させる乳色のシートである。本実施形態では、この乳色シート１２４は、厚みが０．２ｍｍのシートとなっている。この乳色シート１２４の透過光により発光パネル１は面発光することとなる。
【００２１】
以上に説明した面発光部材１２の裏面側からホルダー支持部１３が取り付けられる。このホルダー支持部１３は、面発光部材１２の導光板１２１における入射端縁１２１ａの近傍に、この入射端縁１２１ａから面内方向に面発光部材１２の外側に一部が張り出した状態に固定される。図３は、図２に示されているホルダー支持部を示す図である。ホルダー支持部１３は、アルミニウム等の金属で形成され、この図３に示されているように、被固定部１３１と、離隔部１３２と、を有している。
【００２２】
被固定部１３１は、板状に形成され、面発光部材１２の裏面側における入射端縁１２１ａの近傍に重ねられるとともに、この入射端縁１２１ａから面内方向に面発光部材１２の外側に一部が張り出している。
【００２３】
本実施形態では、導光板１２１には、ホルダー支持部１３の被固定部１３１を固定するネジ１６が裏面側から捩じ込まれるネジ孔として不図示のヘリサートコイルが埋め込まれている。そして、反射シート１２２、ベース板１２３、及び、ホルダー支持部１３の被固定部１３１には、そのネジ孔に連通する貫通孔が形成されており、これらの貫通孔を貫通したネジ１６がネジ孔に捩じ込まれることで、図２に示されているように反射シート１２２及びベース板１２３を導光板１２１の裏面との間に挟んでホルダー支持部１３の被固定部１３１が導光板１２１に固定される。
【００２４】
離隔部１３２は、被固定部１３１の、入射端縁１２１ａから張り出した一部における発光面側に、入射端縁１２１ａとの間に、光源ホルダー１４における後述の保持部が配置可能な間隔を開けて立設される。本実施形態では、離隔部１３２は矩形筒形状を有し、入射端縁１２１ａと平行に、この入射端縁１２１ａの略全長に亘って延びている。そして、この離隔部１３２の、発光面側に、後述の皿ネジが捩じ込まれるネジ孔１３２ａが形成されている。
【００２５】
光源ホルダー１４は、図２に示されているように、ＬＥＤ１１の光出射口を導光板１２１の入射端縁１２１ａに向けてＬＥＤ１１を保持するとともに、ホルダー支持部１３に着脱自在に支持される。また、本実施形態では、光源ホルダー１４は、ホルダー支持部１３に対し、図２中に矢印Ｄ１で示されている面発光部材１２に対する面直交方向の着脱が自在となっている。図４は、図２に示されている光源ホルダーを示す図である。光源ホルダー１４は、アルミニウム等の金属で形成され、この図４に示されているように、保持部１４１と、舌片部１４２と、を有している。
【００２６】
保持部１４１は、入射端縁１２１ａと、ホルダー支持部１３の離隔部１３２との間に配置されて、光出射口を入射端縁１２１ａに向けてＬＥＤ１１を保持する。本実施形態では、この保持部１４１は、矩形筒形状を有し、入射端縁１２１ａと平行に、この入射端縁１２１ａの略全長に亘って延びているとともに、入射端縁１２１ａ側に、ＬＥＤ１１からの光を通す開口１４１ａが設けられている。この保持部１４１は、筒の内部に、複数のＬＥＤ１１を入射端縁１２１ａに沿って配列して保持する。また、本実施形態では、導光板１２１の厚み方向についてはＬＥＤ１１が１段に保持されている。また、本実施形態では、保持部１４１は、入射端縁１２１ａとの間に０．５ｍｍの間隔を開けて配置される。この０．５ｍｍの間隔により、入射端縁１２１ａと、ホルダー支持部１３の離隔部１３２との間への保持部１４１の矢印Ｄ１方向の着脱が可能となっている。
【００２７】
舌片部１４２は、保持部１４１から離隔部１３２の発光面側へと張り出して離隔部１３２に、矢印Ｄ１で示されている面発光部材１２に対する面直交方向に重ねられる。舌片部１４２には、離隔部１３２のネジ孔１３２ａと連通するとともに、皿ネジ１５のネジ頭が埋め込まれる漏斗状孔１４２ａが設けられている。舌片部１４２は、この皿ネジ１５によって、発光面側から離隔部１３２に着脱自在にネジ止めされる。
【００２８】
本実施形態では、導光板１２１における対向一対の入射端縁１２１ａのそれぞれの近傍にホルダー支持部１３が固定され、各ホルダー支持部１３に光源ホルダー１４が支持される。そして、各光源ホルダー１４に保持されたＬＥＤ１１からの光が各入射端縁１２１ａに入射される。
【００２９】
以上に説明した第１実施形態の発光パネル１によれば、光源ホルダー１４は、面発光部材１２に固定されるホルダー支持部１３に支持される。これにより、面発光部材１２が熱膨張する際には、そのホルダー支持部１３とともに光源ホルダー１４（即ち、ＬＥＤ１１）が一緒に移動する。その結果、面発光部材１２の熱膨張によるＬＥＤ１１の圧迫等といった影響が抑えられる。そして、光源ホルダー１４が、ホルダー支持部１３に着脱自在に支持されることから、発光パネル１を全体的に分解しなくとも、この光源ホルダー１４をホルダー支持部１３から取り外すことでＬＥＤ１１を容易に交換することができる。
【００３０】
また、本実施形態の発光パネル１によれば、光源ホルダー１４が、面発光部材１２に対する面直交方向（矢印Ｄ１方向）、本実施形態においては発光パネル１の発光面側、という、作業者にとってアクセスし易い方向からホルダー支持部１３に着脱自在に取り付けられる。これにより、ＬＥＤ１１の交換作業の作業性向上が図られている。
【００３１】
また、この発光パネル１によれば、光源ホルダー１４が、面発光部材１２に対する面直交方向（矢印Ｄ１方向）という、作業者にとってアクセスし易い方向から、更には、作業者にとって着脱作業が容易なネジ止めという手法によって、ホルダー支持部１３に取り付けられる。これにより、ＬＥＤ１１の交換作業の作業性向上が図られている。
【００３２】
また、本実施形態の発光パネル１によれば、ホルダー支持部１３への光源ホルダー１４の取付けが、ホルダー支持部１３の離隔部１３２に、面発光部材１２に対する面直交方向（矢印Ｄ１方向）という、作業者にとってアクセスし易い方向に重ねられた舌片部１４２の、その離隔部１３２への取付けによって行われる。これにより、ホルダー支持部１３への光源ホルダー１４の着脱が容易となることから、ＬＥＤ１１の交換作業の作業性向上が図られている。
【００３３】
次に、本発明の第２実施形態にかかる発光パネルを、図５〜図７を参照して説明する。図５は、本発明の第２実施形態にかかる発光パネルの、図２示されている断面と同様の断面を示す断面図である。
【００３４】
本実施形態の発光パネル５における面発光部材５２では、導光板５２１は、図２に示されている第１実施形態における導光板１２１よりも厚い、厚みが８ｍｍの板となっている。また、反射シート５２２は、第１実施形態における反射シート１２２と同様に厚みが０．２ｍｍの白色シートであるが、ベース板５２３は、第１実施形態におけるベース板１２３よりも厚い、厚みが１．５ｍｍの板となっている。また、この発光パネル５では、発光面側に、第１実施形態における乳色シート１２４に替えて、厚みが２．０ｍｍの乳板５２４を備えている。
【００３５】
そして、本実施形態では、上記のように厚い導光板５２１の入射端縁５２１ａに十分に光を入射できるように、導光板５２１の厚み方向についてＬＥＤ５１が２段に配列されている。この２段のＬＥＤ５１の搭載は、第１実施形態と同様に、入射端縁５２１ａの近傍に固定されるホルダー支持部５３と、ホルダー支持部５３に皿ネジ５５によって着脱自在に取り付けられる光源ホルダー５４とによって行われる。本実施形態でも、光源ホルダー５４は、ホルダー支持部５３に対し、図５中に矢印Ｄ１で示されている面発光部材５２に対する面直交方向の着脱が自在となっている。
【００３６】
図６は、図５に示されているホルダー支持部を示す図である。ホルダー支持部５３は、アルミニウム等の金属で形成され、この図６に示されているように、被固定部５３１と、離隔部５３２と、を有している。被固定部５３１は、面発光部材５２の裏面側における入射端縁５２１ａの近傍に重ねられるとともに、この入射端縁５２１ａから面内方向に面発光部材５２の外側に一部が張り出した状態で固定されている。図５に示されているように、ホルダー支持部５３の被固定部５３１は、第１実施形態における被固定部１３１と同様に、ネジ５６によって、反射シート５２２及びベース板５２３とともに導光板５２１に固定される。
【００３７】
そして、被固定部５３１の、入射端縁５２１ａから張り出した一部における発光面側に立設された矩形筒形状の離隔部５３２の高さが、上記の厚い導光板５２１に応じた高さとなっている。離隔部５３２の、発光面側には、光源ホルダー５４固定用の皿ネジ５５が捩じ込まれるネジ孔５３２ａが形成されている。
【００３８】
図７は、図５に示されている光源ホルダーを示す図である。光源ホルダー５４は、アルミニウム等の金属で形成され、この図７に示されているように、保持部５４１と、舌片部５４２と、を有している。
【００３９】
保持部５４１は、図５に示されているように、入射端縁５２１ａと、ホルダー支持部５３の離隔部５３２との間に配置されて、光出射口を入射端縁５２１ａに向けてＬＥＤ５１を保持する。本実施形態では、この保持部５４１は、複数のＬＥＤ５１を入射端縁５２１ａに沿って配列して保持するとともに、上述したように、導光板５２１の厚み方向についてはＬＥＤ５１を２段に保持する。保持部５４１は、この２段の保持が可能な高さを有する矩形筒状に形成されるとともに、入射端縁５２１ａ側に、２段のＬＥＤ５１からの光を通す開口５４１ａが設けられている。また、本実施形態でも、第１実施形態と同様に、保持部５４１は、入射端縁５２１ａとの間に０．５ｍｍの間隔を開けて配置され、入射端縁５２１ａと、ホルダー支持部５３の離隔部５３２との間への保持部５４１の矢印Ｄ１方向の着脱が可能となっている。
【００４０】
舌片部５４２は、保持部５４１から離隔部５３２の発光面側へと張り出して離隔部５３２に、矢印Ｄ１で示されている面発光部材５２に対する面直交方向に重ねられる。舌片部５４２には、離隔部５３２のネジ孔５３２ａと連通するとともに、皿ネジ５５のネジ頭が埋め込まれる漏斗状孔５４２ａが設けられている。舌片部５４２は、この皿ネジ５５によって、発光面側から離隔部５３２に着脱自在に固定される。
【００４１】
本実施形態でも、第１実施形態と同様に、導光板５２１における対向一対の入射端縁５２１ａのそれぞれの近傍にホルダー支持部５３が固定され、各ホルダー支持部５３に光源ホルダー５４が固定される。そして、各光源ホルダー５４に保持されたＬＥＤ５１からの光が各入射端縁５２１ａに入射される。
【００４２】
以上に説明した第２実施形態の発光パネル５でも、第１実施形態の発光パネル１と同様に、導光板５２１の熱膨張によるＬＥＤ５１への影響が抑えられるとともに、光源ホルダー５４をホルダー支持部５３から取り外すことでＬＥＤ５１を容易に交換することができる。また、このＬＥＤ５１の交換が、面発光部材５２に対する面直交方向（矢印Ｄ１方向）、即ち発光面側からのアクセスによって行われること、及び、舌片部５４２が離隔部５３２にネジ止めされることから、ＬＥＤ５１の交換作業の作業性向上が図られている点も、第１実施形態の発光パネル１と同様である。
【００４３】
尚、上述した２つの実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明の発光パネルの構成を具備する限り、勿論、本発明の範疇に含まれるものである。
【００４４】
例えば、上述した２つの実施形態では、本発明にいう発光パネルの一例として、矩形板形状の導光板における対向一対の端縁それぞれを光源からの光の入射端縁とし、各入射端縁の近傍にホルダー支持部及び光源ホルダーを配置する形態が例示されている。しかしながら、本発明にいう発光パネルは、このような形態に限るものではなく、導光板における何れか１つの端縁を入射端縁とし、その入射端縁の近傍にホルダー支持部及び光源ホルダーを配置する形態であってもよく、あるいは、導光板における３つの端縁、あるいは四周全ての端縁を入射端縁とし、各入射端縁の近傍にホルダー支持部及び光源ホルダーを配置する形態であってもよい。
【００４５】
また、上述した２つの実施形態では、導光板等の各構成要素の厚みや材質について具体的な寸法や材質が例示されている。しかしながら、本発明の発光パネルにおける各構成要素の寸法や材質は、これに限るものではない。
【００４６】
また、上述した２つの実施形態では、本発明にいう面発光部材の一例として片面発光タイプの面発光部材１２，５２が例示されているが、本発明にいう面発光部材はこれに限るものではなく、両面発光タイプのものであってもよい。
【００４７】
また、上述した２つの実施形態では、本発明にいうホルダー支持部の一例として、面発光部材の裏面側に重ねられた状態で固定されるホルダー支持部１３，５３が例示されている。しかしながら、本発明にいうホルダー支持部は、これに限るものではなく、例えば面発光部材の側端縁へと延びる腕部を設け、この腕部をその側端縁にネジ止め等により固定することとしてもよい。ホルダー支持部がこのように固定されている場合には、光源ホルダーは、発光パネルの発光面側及び裏面側のいずれの方向からも着脱可能となる。
【００４８】
また、上述した２つの実施形態では、本発明にいうホルダー支持部及び光源ホルダーの一例として、離隔部１３２，５３２が立設されたホルダー支持部１３，５３と、離隔部１３２，５３２に重ねられる舌片部１４２，５４２を有する光源ホルダー１４，５４が例示されている。しかしながら、本発明にいうホルダー支持部及び光源ホルダーはこれらに限るものではない。例えば、ホルダー支持部を、面発光部材の入射端縁から一部が張り出した単純な板とし、本発明にいう光源ホルダーを、上記のような舌片部を設けず単純な矩形筒とし、ホルダー支持部において入射端縁から張り出した箇所に光源ホルダーをネジ止め等によって取り付けることとしてもよい。
【符号の説明】
【００４９】
１，５  発光パネル
１１，５１  ＬＥＤ
１２，５２  面発光部材
１３，５３  ホルダー支持部
１４，５４  光源ホルダー
１５，５５  皿ネジ
１６，５６  ネジ
１２１ａ，５２１ａ  入射端縁
１３１，５３１  被固定部
１３２，５３２  離隔部
１４１，５４１  保持部
１４２，５４２  舌片部
【図１】
2015220074.tif 000003
【図２】
2015220074.tif 000004
【図３】
2015220074.tif 000005
【図４】
2015220074.tif 000006
【図５】
2015220074.tif 000007
【図６】
2015220074.tif 000008
【図７】
2015220074.tif 000009